(57)【特許請求の範囲】
【請求項１】
撮影装置に対して着脱自在な外付け記憶媒体に保存され、撮影地点情報が付加された画像ファイルから、サムネイル画像を生成するサムネイル画像生成ステップと、
前記画像ファイルから前記撮影地点情報を抽出する撮影地点情報抽出ステップと、
前記抽出された撮影地点情報を前記サムネイル画像のメタ情報として付加してサムネイル画像ファイルを作成するサムネイル画像ファイル作成ステップと、
前記作成されたサムネイル画像ファイルを前記外付け記憶媒体に保存するサムネイル画像ファイル保存ステップと、
前記抽出された撮影地点情報を前記撮影装置の内蔵メモリに記憶する撮影地点情報記憶ステップと、
前記サムネイル画像ファイルに付加されている撮影地点情報と、前記内蔵メモリに記憶されている撮影地点情報との同一性を判断する同一性判断ステップと、
前記２つの撮影地点情報に同一性があると判断された場合に、前記画像ファイルの撮影地点情報及び画像を前記撮影装置の表示画面に表示させる情報表示ステップと、
を有する、
撮影情報管理方法。
【請求項２】
前記外付け記憶媒体内の画像ファイルを指定する画像ファイル指定ステップと、
前記指定された画像ファイルに前記撮影地点情報が付加されているか否かを判断する情報付加判断ステップと、
を有し、
前記サムネイル画像生成ステップは、前記撮影地点情報が付加されていると判断された画像ファイルに対してのみ実行される、
請求項１に記載の撮影情報管理方法。
【請求項３】
前記内蔵メモリに記憶されている撮影地点情報群の中から消去対象を指定する消去対象指定ステップと、
前記指定された消去対象の撮影地点情報と共に該消去対象に対応するサムネイル画像ファイルも消去する消去実行ステップと、
を有する、
請求項２に記載の撮影情報管理方法。
【請求項４】
ＧＰＳ（Global Positioning System）を用いて撮影画像の撮影地点情報を取得する撮影地点情報取得ステップと、
前記取得された撮影地点情報を前記撮影画像のメタ情報として付加して前記画像ファイルを生成する画像ファイル生成ステップと、
を有する、
請求項１から請求項３の何れか一項に記載の撮影情報管理方法。
【請求項５】
外付け記憶媒体を接続自在な接続手段と、
前記外付け記憶媒体に保存され、撮影地点情報が付加された画像ファイルから、サムネイル画像を生成するサムネイル画像生成手段と、
前記画像ファイルから前記撮影地点情報を抽出する撮影地点情報抽出手段と、
前記抽出された撮影地点情報を前記サムネイル画像のメタ情報として付加してサムネイル画像ファイルを作成するサムネイル画像ファイル作成手段と、
前記作成されたサムネイル画像ファイルを前記外付け記憶媒体に保存するサムネイル画像ファイル保存手段と、
内蔵メモリと、
前記抽出された撮影地点情報を前記内蔵メモリに記憶する撮影地点情報記憶手段と、
前記サムネイル画像ファイルに付加されている撮影地点情報と、前記内蔵メモリに記憶されている撮影地点情報との同一性を判断する同一性判断手段と、
前記２つの撮影地点情報に同一性があると判断された場合に、前記画像ファイルの撮影地点情報及び画像を所定の表示画面に表示させる表示手段と、
を有する、
撮影情報管理装置。
【請求項６】
前記外付け記憶媒体内の画像ファイルを指定する画像ファイル指定手段と、
前記指定された画像ファイルに前記撮影地点情報が付加されているか否かを判断する情報付加判断手段と、
を有し、
前記サムネイル画像生成手段は、前記撮影地点情報が付加されていると判断された画像ファイルからのみ前記サムネイル画像を生成する、
請求項５に記載の撮影情報管理装置。
【請求項７】
前記サムネイル画像ファイル保存手段は、前記サムネイル画像ファイルを前記外付け記憶媒体内のユーザが認識できない不可視領域に保存する、
請求項５又は請求項６に記載の撮影情報管理装置。
【請求項８】
前記内蔵メモリに記憶されている撮影地点情報群の中から消去対象を指定する消去対象指定手段と、
前記指定された消去対象の撮影地点情報と共に該消去対象に対応する前記不可視領域内のサムネイル画像ファイルも消去する消去実行手段と、
を有する、
請求項７に記載の撮影情報管理装置。
【請求項９】
前記不可視領域内のサムネイル画像ファイル群及び該サムネイル画像ファイル群に対応する前記内蔵メモリ内の撮影地点情報群を前記外付け記憶媒体内のユーザがアクセス可能なフォルダに保存するフォルダ内保存手段
を有する、
請求項７又は請求項８に記載の撮影情報管理装置。
【請求項１０】
前記不可視領域内の前記サムネイル画像ファイル群及び前記内蔵メモリ内の撮影地点情報群を消去する各種情報消去手段と、
前記フォルダに保存されている前記サムネイル画像ファイル群、前記撮影地点情報群をそれぞれ前記不可視領域、前記内蔵メモリに保存する各種情報保存手段と、
を有する、
請求項９に記載の撮影情報管理装置。
【請求項１１】
ＧＰＳを用いて撮影画像の撮影地点情報を取得する撮影地点情報取得手段と、
前記取得された撮影地点情報を前記撮影画像のメタ情報として付加して前記画像ファイルを生成する画像ファイル生成手段と、
を有する、
請求項５から請求項１０の何れか一項に記載の撮影情報管理装置。
【発明の詳細な説明】
【技術分野】
【０００１】
本発明は、撮影画像及びその付帯情報を管理する撮影情報管理方法、及び撮影情報管理装置に関する。
【背景技術】
【０００２】
ＤＳＣ（Digital Still Camera）等の撮影装置においてＧＰＳ（Global Positioning System）を利用した技術が種々提案されている。例えば特許文献１には、撮影画像ファイルのフォルダ管理をＧＰＳを利用して行う撮影装置が記載されている。具体的には、特許文献１に記載の撮影装置は、ＧＰＳの測位解を基に撮影場所を判定する。撮影装置は、判定結果に基づいてサブディレクトリを必要に応じて自動的に作成して撮影画像ファイルを保存する。撮影画像ファイルは、例えば州や市など、所定の単位で管理される。
【０００３】
ＧＰＳの測位解は、撮影装置本体の画像処理回路とＧＰＳモジュールとの連係により所定のフォーマットに適合した形式で撮影画像ファイルに埋め込まれる。例えばＥｘｉｆ（Exchangeable image file format）対応の画像フォーマットの場合、ＧＰＳの測位解（例えば緯度・経度）は、撮影画像ファイルのＥｘｉｆ領域にジオタグ（geotag）として埋め込まれる。
【０００４】
この種の撮影画像ファイルは、ユーザが過去にその場所で当該画像を撮影したことを示している。撮影画像ファイルに埋め込まれた位置情報は、ＧＰＳで測位される現在位置との比較（当該位置情報と現在位置との相対距離及び方位）により簡易的なナビゲーション情報となり得る。そのため、位置情報は、例えばその場所で再び撮影を行いたいユーザにとって有用である。ユーザは、撮影装置の表示画面に表示される簡易的なナビゲーション情報に従い又は位置情報そのものを参照することで、目的地たる撮影場所にスムーズに向かうことができる。この場合、撮影画像は、目的地に到着したときに正しい撮影場所かどうかを視覚的に判断するために利用される。
【先行技術文献】
【特許文献】
【０００５】
【特許文献１】特開２００２−２３８０１１号公報
【発明の概要】
【発明が解決しようとする課題】
【０００６】
ところで、一般的な撮影装置は、撮影画像ファイル（例えばＧＰＳによる目的地の位置情報、名称、撮影画像等を含むファイル）の保存領域として内蔵メモリを搭載している。しかし、内蔵メモリは、容量が少なく補助的な領域として提供されているにすぎない。そのため、内蔵メモリに保存可能な撮影画像ファイル数は少なく、撮影画像ファイルを内蔵メモリに一括保存することは難しい。そこで、この種の撮影装置においては、撮影画像ファイルを内蔵メモリに限らずメモリカード等の小型外付け記憶媒体にも保存するというのが一般的な使い方として定着している。
【０００７】
この種の小型外付け記憶媒体は撮像装置本体に対して着脱自在であるため、撮像装置とは独立してデータの更新や消去が可能である。また、撮影装置には全く別の小型外付け記憶媒体が装填されて使用されることもある。このため、撮像装置本体において撮影画像ファイルを小型外付け記憶媒体から読み出して利用する場合、互換性の無い他の装置で撮影された画像ファイルであったり、データが不在であったり等の不都合が生じる。すなわち、撮影画像ファイルの保存先を内蔵メモリから小型外付け記憶媒体に単純に置き換えても目的地に関する情報（画像や位置情報等）を表示画面に適切に表示できないこともある。
【０００８】
本発明は上記の事情に鑑みてなされたものであり、その目的とするところは、撮影装置本体に大きな改良や機構を追加することなく撮影画像とその地点情報を表示画面に表示させるのに好適な撮影情報管理方法、及び撮影情報管理装置を提供することである。
【課題を解決するための手段】
【０００９】
上記の課題を解決する本発明の一形態に係る撮影情報管理方法は、撮影装置に対して着脱自在な外付け記憶媒体に保存されている画像ファイルに付加されている撮影地点情報と、該撮影装置の内蔵メモリに記憶されている撮影地点情報との同一性を判断する同一性判断ステップと、２つの撮影地点情報に同一性があると判断された場合に、該画像ファイルの画像が撮影装置の所有者たるユーザが撮影を行ったことのある場所のものである可能性が高いため、該画像ファイルの撮影地点情報及び画像を撮影装置の表示画面に表示させる情報表示ステップとを有することを特徴とした方法である。
【００１０】
本発明によれば、２つの撮影地点情報に同一性がないと判断される場合、判断対象の画像ファイルの画像は、撮影装置の所有者たるユーザが撮影を行ったことのない場所のものであるとの推定が働く。そのため、当該画像ファイルの撮影地点情報及び画像は、ユーザにとって不要な情報であるとして（撮影装置の内蔵メモリに記憶されている情報とは関連しない情報であるから）撮影装置の表示画面に表示させない。
【００１１】
本発明に係る撮影情報管理方法は、撮影地点情報が付加された画像ファイルからサムネイル画像を生成するサムネイル画像生成ステップと、画像ファイルから撮影地点情報を抽出する撮影地点情報抽出ステップと、抽出された撮影地点情報をサムネイル画像のメタ情報として付加してサムネイル画像ファイルを作成するサムネイル画像ファイル作成ステップと、作成されたサムネイル画像ファイルを外付け記憶媒体に保存するサムネイル画像ファイル保存ステップと、抽出された撮影地点情報を内蔵メモリに記憶する撮影地点情報記憶ステップとを有した方法であってもよい。この場合、同一性判断ステップにおいては、サムネイル画像ファイルに付加されている撮影地点情報と、内蔵メモリに記憶されている撮影地点情報との同一性を判断する。
【００１２】
サムネイル画像ファイルは、ファイルサイズが小さく、また、ファイルサイズが大きい元の画像ファイルを消去しても外付け記憶媒体内に残る。そのため、本発明によれば、撮影地点情報及び画像を撮影装置側（内蔵メモリや外付け記憶媒体）に多数固定することができる。そのため、例えば撮影装置の携帯時に撮影画像を撮影地点情報と共に利用する機能（例えば撮影画像と撮影地点情報を利用したナビゲーション機能）の実行に有利である。
【００１３】
本発明に係る撮影情報管理方法は、外付け記憶媒体内の画像ファイルを指定する画像ファイル指定ステップと、指定された画像ファイルに撮影地点情報が付加されているか否かを判断する情報付加判断ステップとを有する方法としてもよい。この場合、撮影地点情報が付加されていると判断された画像ファイルに対してのみサムネイル画像生成ステップが実行される。
【００１４】
本発明に係る撮影情報管理方法は、内蔵メモリに記憶されている撮影地点情報群の中から消去対象を指定する消去対象指定ステップと、指定された消去対象の撮影地点情報と共に該消去対象に対応する不可視領域内のサムネイル画像ファイルも消去する消去実行ステップとを有する方法としてもよい。
【００１５】
本発明に係る撮影情報管理方法は、ＧＰＳを用いて撮影画像の撮影地点情報を取得する撮影地点情報取得ステップと、取得された撮影地点情報を撮影画像のメタ情報として付加して画像ファイルを生成する画像ファイル生成ステップとを有する方法としてもよい。
【００１６】
上記の課題を解決する本発明の一形態に係る撮影情報管理装置は、外付け記憶媒体を接続自在な接続手段と、撮影地点情報を記憶した内蔵メモリと、外付け記憶媒体に保存されている画像ファイルに付加されている撮影地点情報と、内蔵メモリ内の撮影地点情報との同一性を判断する同一性判断手段と、２つの撮影地点情報に同一性があると判断された場合に、画像ファイルの撮影地点情報及び画像を所定の表示画面に表示させる表示手段とを有することを特徴とした装置である。
【００１７】
本発明に係る撮影情報管理装置は、撮影地点情報が付加された画像ファイルからサムネイル画像を生成するサムネイル画像生成手段と、画像ファイルから撮影地点情報を抽出する撮影地点情報抽出手段と、抽出された撮影地点情報をサムネイル画像のメタ情報として付加してサムネイル画像ファイルを作成するサムネイル画像ファイル作成手段と、作成されたサムネイル画像ファイルを外付け記憶媒体に保存するサムネイル画像ファイル保存手段と、抽出された撮影地点情報を内蔵メモリに記憶する撮影地点情報記憶手段とを有し、同一性判断手段は、サムネイル画像ファイルに付加されている撮影地点情報と、内蔵メモリに記憶されている撮影地点情報との同一性を判断し、サムネイル画像ファイル保存手段は、サムネイル画像ファイルを外付け記憶媒体内のユーザが認識できない不可視領域に保存する構成としてもよい。
【００１８】
本発明に係る撮影情報管理装置は、不可視領域内のサムネイル画像ファイル群及び該サムネイル画像ファイル群に対応する内蔵メモリ内の撮影地点情報群を外付け記憶媒体内のユーザがアクセス可能なフォルダに保存するフォルダ内保存手段を有する構成としてもよい。
【００１９】
本発明に係る撮影情報管理装置は、不可視領域内のサムネイル画像ファイル群及び内蔵メモリ内の撮影地点情報群を消去する各種情報消去手段と、フォルダに保存されているサムネイル画像ファイル群、撮影地点情報群をそれぞれ不可視領域、内蔵メモリに保存する各種情報保存手段とを有する構成としてもよい。
【発明の効果】
【００２０】
本発明によれば、撮影装置本体に大きな改良や機構を追加することなく撮影画像とその撮影地点情報を表示画面に表示させるのに好適な撮影情報管理方法、及び撮影情報管理装置が提供される。
【図面の簡単な説明】
【００２１】
【図１】本発明の実施形態の撮影装置のメカ構成及び回路構成を模式的に示す図である。
【図２】本発明の実施形態の撮影装置の光学系を模式的に示す図である。
【図３】本発明の実施形態の目的地情報登録モード移行後の画面遷移図である。
【図４】図３の登録確認画面で決定ボタンが選択されたときに実行される目的地情報登録処理のフローチャートである。
【図５】図４の目的地情報登録処理を説明するための説明補助図である。
【図６】全ての目的地情報をメモリカード内のアクセス可能な領域にコピーする目的地情報複製処理のフローチャートである。
【図７】図６の目的地情報複製処理を説明するための説明補助図である。
【図８】本発明の実施形態の目的地情報消去モード移行後の画面表示を示す図である。
【図９】目的地リストから目的地を消去する際に実行される目的地情報消去処理のフローチャートである。
【図１０】図９の目的地情報消去処理を説明するための説明補助図である。
【図１１】ＧＰＳフォルダ直下のＤＡＴＡフォルダからファイルを読み込む際に実行される目的地情報読込処理のフローチャートである。
【図１２】図１１の目的地情報読込処理を説明するための説明補助図である。
【図１３】目的地リストから目的地を設定する際に実行される目的地情報選択処理のフローチャートである。
【図１４】図１３のＳ４４の処理の実行時にＬＣＤモニタに表示される画面例を示す図である。
【図１５】図１３の目的地情報選択処理を説明するための説明補助図である。
【発明を実施するための形態】
【００２２】
以下、図面を参照して、本発明の実施形態の撮影装置について説明する。
【００２３】
図１、２は共に、本実施形態の撮影装置１の構成を模式的に示す図である。図１は、主に、撮影装置１のメカブロックと回路ブロックを示し、図２は、主に、撮影装置１の光学系を示している。本実施形態において、撮影装置１は、デジタル一眼レフカメラを想定しているが、コンパクトデジタルカメラ、カムコーダ、携帯電話端末、ＰＨＳ（Personal Handy phone System）、携帯ゲーム機等の撮影機能を有する別の形態の撮影装置に置き換えてもよい。
【００２４】
撮影装置１は、図１に示されるように、カメラ本体部１０と撮影レンズ５０を有している。カメラ本体部１０には、各種回路の動作やタイミングを統括的に制御するＣＰＵ１２が搭載されている。電源スイッチＳＷ０がオンされると、図示省略されたバッテリから撮影装置１の各種回路に電源ラインを通じて電源供給が行われる。
【００２５】
被写体からの光は、図２に示されるように、撮影光学系Ｌ、ミラーＭを介して、ファインダ光学系Ｆに入射する。撮影者は、ファインダ光学系Ｆの接眼レンズを覗くことにより被写体像を観察することができる。
【００２６】
レリーズスイッチＳＷ１が押されると、ＣＰＵ１２の駆動制御によってミラーＭが図２の破線位置にアップすると共にフォーカルプレーンシャッタＦＰがシャッタ速度に応じて開放する。これにより、被写体からの光は、撮影光学系Ｌ、フォーカルプレーンシャッタＦＰを通過して固体撮像素子１４により受光される。
【００２７】
固体撮像素子１４は、例えばベイヤ型画素配置を有する単板式カラーＣＣＤ（Charge Coupled Device）イメージセンサである。固体撮像素子１４は、ＣＰＵ１２のドライブ制御に従い、撮像面１４ａ上の各画素で結像した光学像を光量に応じた電荷として蓄積して、撮像信号に変換する。変換された撮像信号は、図示省略された回路によるＡＤ変換、信号増幅等の処理後、ＤＳＰ１６に入力する。なお、固体撮像素子１４は、ＣＣＤイメージセンサに限らず、ＣＭＯＳ（Complementary Metal Oxide Semiconductor）イメージセンサとしてもよい。
【００２８】
ＤＳＰ１６は、入力した撮像信号に対して色補間、マトリクス演算、Ｙ／Ｃ分離等の所定の信号処理を施して輝度信号Ｙ、色差信号Ｃｂ、Ｃｒを生成し、ＪＰＥＧ（Joint Photographic Experts Group）等のフォーマットで圧縮する。ＤＳＰ１６は、圧縮画像データを所定のファイルシステム上でアクセスできるようにファイル化する。圧縮画像ファイルは、例えばＥｘｉｆ規格に準拠したファイルであり、カードスロット１８に差し込まれているメモリカード４０に保存される。また、ＤＳＰ１６は、マトリクス演算後の各色信号を別個のフレームメモリにフレーム単位でバッファリングする。ＤＳＰ１６は、バッファリングされた各色信号を所定のタイミングで各フレームメモリから掃き出して画像信号に変換して画像を生成し、ＬＣＤ（Liquid Crystal Display）モニタ２０上に表示させる。撮影者は、ＬＣＤモニタ２０を通じて撮影画像を視認することができる。
【００２９】
カメラ本体部１０のアクセサリシューには、着脱自在なＧＰＳアダプタ２４が取り付けられている。ＧＰＳアダプタ２４には、ＧＰＳモジュール２６が実装されている。ＧＰＳモジュール２６は、複数のＧＰＳ衛星から測位に必要な個数以上のＧＰＳ衛星信号を捕捉、追尾して位置情報（例えば緯度・経度）を演算して、ＣＰＵ１２に出力する。ＧＰＳモジュール２６は、自律航法を行うための周知のＤＲ（Dead Reckoning）センサを実装したセンサモジュールに置き換えてもよい。または、ＧＰＳとＤＲとの併用により単一の位置情報を演算する構成としてもよい。ＧＰＳアダプタ２４は、別個独立した装置でなく、カメラ本体部１０に内蔵された構成としてもよい。
【００３０】
圧縮画像データのファイル化の際には、レリーズスイッチＳＷ１を押したときにＧＰＳモジュール２６で演算された位置情報（緯度・経度）がＥｘｉｆ領域にジオタグとして埋め込まれる。なお、ジオタグとして埋め込まれる位置情報は、緯度・経度に限らず、例えば方位を含めてもよい。方位は、例えばＧＰＳモジュール２６がＧＰＳの測位解に基づいて推定演算することができる。または、ホール電圧を基に地磁気の向きを検知する磁気センサを構成要素として追加してもよい。この場合は、ＣＰＵ１２が磁気センサの出力を用いてカメラ本体部１０の方位を計算する。
【００３１】
一般に、メモリカード４０はメモリ容量の制約が大きいため、過去の撮影画像ファイルほどＰＣ等の情報処理端末やＨＤＤ等の大容量ストレージに転送された後にメモリカード４０から消去される。そこで、本実施形態においては、メモリカード４０から消去された撮影画像ファイルの撮影画像及び位置情報までをも含む過去の撮影画像及び位置情報をカメラ本体部１０のＬＣＤモニタ２０上で確認可能とするため、次に説明する処理を実行する。
【００３２】
以下においては、次に掲げる項目を順に説明する。
１．目的地情報の登録
２．目的地情報のメモリカード内でのコピー
３．目的地情報の消去
４．メモリカードからの目的地情報の読み込み
５．目的地情報の選択
【００３３】
＜１．目的地情報の登録＞
ＬＣＤモニタ２０に画像を表示させているときに所定の操作が行われると、撮影装置１のモードが目的地情報登録モードに移行する。目的地情報登録モードは、撮影画像及び位置情報を目的地情報として登録するためのモードである。なお、以降の説明中の「操作」は、特に断りのない限り、設定スイッチＳＷ２をはじめとするカメラ本体部１０の背面に設けられたメカニカルキー又はＬＣＤモニタ２０上のＧＵＩ（Graphical User Interface）の何れの操作であってもよい。
【００３４】
図３は、本実施形態の目的地情報登録モード移行後の画面遷移図である。目的地情報登録モードは、所定のモード終了操作時又は電源オフ時に終了する。説明の便宜上、図３の各遷移画面に符号［ＳＴｎ（ｎは自然数）］を付す。
【００３５】
目的地情報登録モードに移行した直後は、当該モードの開始を選択する開始選択画面［ＳＴ１］が表示される。開始選択画面［ＳＴ１］において目的地情報登録モードの開始ボタンが選択されると、ＬＣＤモニタ２０に直前に表示させていた画像のファイルが目的地登録可能なファイルか否かが判定される。ここでいう目的地登録可能なファイルとは、Ｅｘｉｆ領域にジオタグが埋め込まれている撮影画像ファイルを指す。このとき他の判定条件を加重してもよい。加重される判定条件には、例えば目的地情報の登録件数が最大件数に達しているか否か等が考えられる。目的地情報の登録件数が最大件数に達している場合には、所定のエラーメッセージがＬＣＤモニタ２０に表示されて目的地情報登録モードが終了する。若しくは、登録されている目的地情報を選択的に消去するための目的地情報消去モード（後述）に移行してもよい。
【００３６】
判定対象のファイルが目的地登録可能なファイルの場合、ＬＣＤモニタ２０の表示は、開始選択画面［ＳＴ１］から確認画面［ＳＴ２］に遷移する。確認画面［ＳＴ２］には、目的地登録の対象となる登録対象画像、決定ボタン、取消ボタン等が表示される。決定ボタンが選択されると、ＬＣＤモニタ２０の表示は、確認画面［ＳＴ２］から名称登録画面［ＳＴ４］に遷移する。取消ボタンが選択されると、ＬＣＤモニタ２０の表示は、確認画面［ＳＴ２］から開始選択画面［ＳＴ１］に戻る。
【００３７】
判定対象のファイルが目的地登録可能なファイルでない場合、ＬＣＤモニタ２０の表示は、開始選択画面［ＳＴ１］から検索中画面［ＳＴ３］に遷移する。検索中画面［ＳＴ３］の表示中は、目的地登録がされていない残りの画像ファイルを対象として目的地登録可能なファイルの検索が行われる。目的地登録可能なファイルが検索されない場合、所定の検索エラーメッセージがＬＣＤモニタ２０に表示された後、検索中画面［ＳＴ３］から開始選択画面［ＳＴ１］に戻る。なお、目的地登録がされている撮影画像ファイルか否かは、例えば撮影画像ファイル中の所定のフラグをチェックして判断する。所定のフラグについては後述する。目的地登録可能なファイルが検索されると、ＬＣＤモニタ２０の表示は、検索中画面［ＳＴ３］から確認画面［ＳＴ２］に遷移する。
【００３８】
名称登録画面［ＳＴ４］は、目的地情報の登録名を設定するための画面である。名称登録画面［ＳＴ４］には、ソフトウェアキーボード、デフォルト登録名「Ｎｏ．ＸＸ（ＸＸはユニークな数字）」、決定ボタン、取消ボタン等が表示される。登録名は、デフォルト登録名そのままでもよく、又はソフトウェアキーボードを用いて適宜変更してもよい。決定ボタンが選択されると登録名が確定して、ＬＣＤモニタ２０の表示が名称登録画面［ＳＴ４］から登録位置選択画面［ＳＴ５］に遷移する。取消ボタンが選択されると、ＬＣＤモニタ２０の表示は、名称登録画面［ＳＴ４］から確認画面［ＳＴ２］に戻る。
【００３９】
登録位置選択画面［ＳＴ５］は、登録されている目的地情報をリストした目的地リスト（以下、符号「Ｌ」を付す。）中の、登録対象の登録名の挿入位置を指定するための画面である。登録位置選択画面［ＳＴ５］には、目的地リストＬの他、決定ボタン、取消ボタン等が表示される。デフォルトの挿入位置は、目的地リストＬの末尾である。挿入位置は、上下キー等を操作すると末尾位置から暫定的に移動する。決定ボタンが選択されると挿入位置が確定して、ＬＣＤモニタ２０の表示が登録位置選択画面［ＳＴ５］から登録確認画面［ＳＴ６］に遷移する。取消ボタンが選択されると、ＬＣＤモニタ２０の表示は、登録位置選択画面［ＳＴ５］から名称登録画面［ＳＴ４］に戻る。
【００４０】
登録確認画面［ＳＴ６］は、目的地情報の登録を確定するための画面である。登録確認画面［ＳＴ６］には、所定の確認メッセージ、決定ボタン、取消ボタン等が表示される。決定ボタンが選択されると所定の目的地情報登録処理が実行されて、ＬＣＤモニタ２０の表示が登録確認画面［ＳＴ６］から登録画像確認画面［ＳＴ７］に遷移する。取消ボタンが選択されると、ＬＣＤモニタ２０の表示は、登録確認画面［ＳＴ６］から登録位置選択画面［ＳＴ５］に戻る。
【００４１】
登録画像確認画面［ＳＴ７］には、目的地情報として登録された撮影画像が表示される。何れかのボタン操作が行われると、ＬＣＤモニタ２０の表示は、登録画像確認画面［ＳＴ７］から開始選択画面［ＳＴ１］に戻る。
【００４２】
図４は、図３の登録確認画面［ＳＴ６］で決定ボタンが選択されたときに実行される目的地情報登録処理のフローチャートを示す。以降の本明細書中の説明並びに図面において、処理ステップは「Ｓ」と省略して記す。
【００４３】
図５は、図４の目的地情報登録処理を説明するための説明補助図である。図５（ａ）は、目的地情報を追加登録する前のメモリカード４０のフォルダ構造をツリー表示した図である。図５（ｂ）は、目的地情報を追加登録する前のカメラ本体部１０の内蔵メモリ２２に記憶されている目的地リストＬの内容を示す図である。図５（ｃ）は、目的地情報を追加登録した後のメモリカード４０のフォルダ構造をツリー表示した図である。図５（ｄ）は、目的地情報を追加登録した後の目的地リストＬの内容を示す図である。
【００４４】
図５（ａ）に示されるように、ＤＣＩＭフォルダ直下の１００ＰＥＮＴＸフォルダには、撮影画像ファイルが保存されている。ＧＰＳフォルダ直下のＴＥＭＰ＿ＩＭＧフォルダには、これまでの目的地情報登録処理の実行の結果作成されたサムネイル画像ファイルが保存されている。サムネイル画像ファイルのファイル名は一定の規則に従って決められる。各図に示されるように、サムネイル画像ファイルのファイル名中の数字部分にはシリアルな値が付けられる。なお、本実施形態においては、利用者の誤操作を防止する目的で、ＴＥＭＰ＿ＩＭＧフォルダは不可視領域に設けられており、ユーザがその存在を認識できずに、アクセスすることはできない構成としたが、ＴＥＭＰ＿ＩＭＧフォルダを可視領域に生成してもよい。
【００４５】
目的地情報登録処理において、Ｎは、目的地情報を追加登録する前の登録目的地総数と定義される。ｎは、追加登録される目的地情報の目的地リストＬ中の挿入位置と定義される。図４に示されるように、Ｓ１の処理では、ｎ＝Ｎ＋１か否かが判定される。ｎ＝Ｎ＋１でない場合（Ｓ１：ＮＯ）、識別ナンバＩＤがＮに設定される（Ｓ２）。続くＳ３の処理では、ＴＥＭＰ＿ＩＭＧフォルダに保存されている既存のファイルＬＩＳＴ［ＩＤ］．ＪＰＧがＬＩＳＴ［ＩＤ＋１］．ＪＰＧにリネームされる（Ｓ３）。リネーム後にＮが１デクリメントされると（Ｓ４）、処理がＳ１に戻る。
【００４６】
Ｓ１〜Ｓ４の処理が繰り返し実行されてｎ＝Ｎ＋１が成立すると（Ｓ１：ＹＥＳ）、識別ナンバＩＤがｎに設定されたうえで登録対象画像のサムネイル画像ファイルＬＩＳＴ［ＩＤ］．ＪＰＧが新規に作成されてＴＥＭＰ＿ＩＭＧフォルダに保存されると共に（Ｓ５）、目的地リストＬが更新される（Ｓ６）。
【００４７】
目的地リストＬは、目的地の各種情報を関連付けて記憶している。目的地の各種情報は、サムネイル画像のファイル名に対応する識別ナンバＩＤ、登録名、緯度情報、経度情報で構成される。Ｓ６の目的地リストＬの更新処理においては、目的地の追加登録に伴うＩＤのリナンバが行われると共に、追加登録される目的地の情報として、ＩＤ、名称登録画面［ＳＴ４］で設定された登録名、登録対象となった元の撮影画像ファイル（以下、「元ファイル」と記す。）のジオタグから抽出した緯度・経度情報が追加される。
【００４８】
なお、図３の登録位置選択画面［ＳＴ５］で目的地リストＬの末尾位置への挿入が指定された場合は、ｎ＝Ｎ＋１である。この場合（Ｓ１：ＹＥＳ）、Ｓ２〜Ｓ４の処理が一度も実行されることなくＳ５の処理が実行される。
【００４９】
Ｓ５の処理の実行時、登録対象画像のファイルには所定のフラグが付けられる。フラグの有無は、サムネイル画像ファイルの存否とリンクしている。具体的には、サムネイル画像ファイルが作成されるとフラグが付されるが、サムネイル画像ファイルが消去するとフラグも消える。
【００５０】
Ｓ５の処理で作成されるサムネイル画像ファイルは、例えばＳＱＣＩＦ（Sub Quarter Common Intermediate Format）規格の解像度を有するファイルサイズが縮小された画像ファイルであり、登録対象となった元ファイルのジオタグから抽出した緯度・経度情報をメタ情報として有している。サムネイル画像ファイルは、サムネイル画像、経度・緯度情報、及びファイルシステム上でアクセスするために必要な最小限の情報のみで構成されたファイルであるため、ファイルサイズが小さい。そのため、ユーザは、目的地情報として撮影画像及び位置情報を有するサムネイル画像ファイルを残容量を気にすることなくメモリカード４０に多数保存させることができる。加えて、サムネイル画像ファイルは、ファイルサイズの大きい元ファイルを消去してもメモリカード４０内に残る。本実施形態によれば、多数の撮影画像及び位置情報を撮影装置１側（内蔵メモリ２２やメモリカード４０）に固定できるため、撮影装置１の携帯時に撮影画像を位置情報と共に利用する機能（例えば撮影画像と撮影地点情報を利用したナビゲーション機能）の実行に有利である。
【００５１】
ここで、登録目的地総数Ｎが３７、挿入位置ｎが５である場合を例に考える（図５（ａ）、（ｃ）の例）。この場合、図５（ｃ）に示されるように、登録対象画像（例えば図５（ａ）に示されるＩＭＧＰ０１２３．ＪＰＧ）のサムネイル画像ファイルＬＩＳＴ０５．ＪＰＧが新規に作成されてＴＥＭＰ＿ＩＭＧフォルダに保存される。追加登録前のサムネイル画像ファイルＬＩＳＴ０５．ＪＰＧ〜ＬＩＳＴ３７．ＪＰＧはそれぞれ、ＬＩＳＴ０６．ＪＰＧ〜ＬＩＳＴ３８．ＪＰＧにリネームされる。また、図５（ｄ）に示されるように、新規の目的地の各種情報が目的地リストＬに追加され、挿入位置に応じたＩＤのリナンバ及びリスト位置の更新が行われる。
【００５２】
＜２．目的地情報のメモリカード内でのコピー＞
全ての目的地情報（ＴＥＭＰ＿ＩＭＧフォルダに保存されているサムネイル画像ファイル群及び目的地リストＬであり、以下、「目的地情報セット」と記す。）は、メモリカード４０内のユーザがアクセス可能な領域に一括操作でコピーすることができる。図６は、目的地情報セットをメモリカード４０内のアクセス可能な領域にコピーする目的地情報複製処理のフローチャートを示す。図７は、図６の目的地情報複製処理を説明するための説明補助図である。図７は、ツリー表示されたメモリカード４０のフォルダ構造と、内蔵メモリ２２に記憶された目的地リストファイルＧＰＳ＿ＤＡＴＡを示している。
【００５３】
図７に示されるように、ＧＰＳフォルダ直下には、ＴＥＭＰ＿ＩＭＧフォルダ以外に複数のＤＡＴＡフォルダ（ＤＡＴＡ１フォルダ、ＤＡＴＡ２フォルダ、・・・）が配置されている。これらのＤＡＴＡフォルダは、ユーザがアクセス可能なフォルダである。目的地情報セットのコピー先として何れかのＤＡＴＡフォルダ（図７の例ではＤＡＴＡ１フォルダ）が選択されると（Ｓ１１：ＹＥＳ）、内蔵メモリ２２に記憶されている目的地リストファイルＧＰＳ＿ＤＡＴＡのテキストデータが抽出されてテキストファイル（図７の例ではファイル名：ＧＰＳ＿ＤＡＴ１．ＴＸＴ）が作成される（Ｓ１２）。テキストデータには、登録名等の文字情報の他、各文字情報の種別等を定義する所定の制御コード情報が含まれている。作成されたテキストファイルＧＰＳ＿ＤＡＴ１．ＴＸＴは、ＤＡＴＡ１フォルダに保存される（Ｓ１３）。続くＳ１４の処理では、ＴＥＭＰ＿ＩＭＧフォルダに保存されているサムネイル画像ファイル群が全てＤＡＴＡ１フォルダにコピーされて、本フローチャートの処理が終了する。なお、コピー先として選択されたＤＡＴＡフォルダに前回コピーしたファイルが保存されている場合は、Ｓ１３の処理の実行の前に全て消去される。
【００５４】
＜３．目的地情報の消去＞
撮影装置１のモードは、所定の操作に従って目的地情報消去モードに移行する。図８（ａ）、（ｂ）は、目的地情報消去モード移行後の画面表示例を示す。図９は、目的地情報消去モードにおいて登録されている目的地情報を消去する際に実行される目的地情報消去処理のフローチャートを示す。図１０（ａ）〜（ｄ）は、図９の目的地情報消去処理を説明するための、図５（ａ）〜（ｄ）と同様の説明補助図である。図１０（ａ）は、目的地情報の消去を実行する前のメモリカード４０のフォルダ構造を示し、図１０（ｂ）は、目的地情報の消去を実行する前の目的地リストＬを示す。図１０（ｃ）は、目的地情報の消去を実行した後のメモリカード４０のフォルダ構造を示し、図１０（ｄ）は、目的地情報の消去を実行した後の目的地リストＬを示す。
【００５５】
目的地情報消去モードへの移行後は、目的地リストＬに登録された目的地の登録名の一覧がＬＣＤモニタ２０に表示される。なお、本実施形態においては、図８（ａ）、（ｂ）の例に示すように、ＬＣＤモニタ２０の画面サイズを考慮して、登録目的地総数１０のうち５つの登録名を一画面に表示するようにしている。各登録名には、消去する目的地を指定するためのチェックボックスが付されている。本例では、「Ｐａｒｉｓ」、「Ａｍｓｔｅｒｄａｍ」、「Ｄｅｎｖｅｒ」、「Ｃｈｉｃａｇｏ」が消去対象として指定されている。なお、画面下欄には、消去する目的地をユーザに視認させるため、フォーカスが当てられている（選択されている）登録名に対応するサムネイル画像と緯度・経度情報が表示される。
【００５６】
チェックボックスのチェック後に画面下欄の消去ボタンが選択されると、図９に示される目的地情報消去処理が消去対象として指定された目的地情報ごとに実行される。目的地情報消去処理において、Ｎ’は、目的地情報の消去を実行する前の登録目的地総数と定義される。ｎ’は、消去対象として指定された目的地のＩＤ（後述のＳ２５の処理でリネームされた場合はリネーム後のＩＤ）と定義される。
【００５７】
図９に示されるように、Ｓ２１の処理では、識別ナンバＩＤがｎ’に設定される。Ｓ２２の処理では、ＴＥＭＰ＿ＩＭＧフォルダに保存されているファイルＬＩＳＴ［ＩＤ］．ＪＰＧが消去される。Ｓ２３の処理では、識別ナンバＩＤが１インクリメントされる。Ｓ２４の処理では、ＴＥＭＰ＿ＩＭＧフォルダ内のファイルＬＩＳＴ［ＩＤ］．ＪＰＧの存否が判定される。
【００５８】
Ｓ２４の処理においてファイルＬＩＳＴ［ＩＤ］．ＪＰＧが存在する場合（Ｓ２４：ＹＥＳ）、ファイルＬＩＳＴ［ＩＤ］．ＪＰＧがＬＩＳＴ［ＩＤ−１］．ＪＰＧにリネームされて（Ｓ２５）、処理がＳ２６に進む。ファイルＬＩＳＴ［ＩＤ］．ＪＰＧが存在しない場合（Ｓ２４：ＮＯ）は、Ｓ２５の処理を実行することなくＳ２６に進む。
【００５９】
Ｓ２６の処理では、識別ナンバＩＤがＮ’か否かが判定される。識別ナンバＩＤがＮ’である場合（Ｓ２６：ＹＥＳ）、目的地リストＬが更新されて（Ｓ２７）、本フローチャートの処理が終了する。Ｓ２７の目的地リストＬの更新処理においては、消去対象として指定された目的地の情報が消去されると共に当該削除に伴うＩＤのリナンバが行われる。識別ナンバＩＤがＮ’でない場合は（Ｓ２６：ＮＯ）、Ｓ２３の処理に戻り、リネーム処理が繰り返し行われる。
【００６０】
図８〜１０の例では、ＩＤ＝３、４、８、１０に対応する目的地情報が消去される。そのため、図１０（ｃ）、（ｄ）に示される通り、ＴＥＭＰ＿ＩＭＧフォルダのサムネイル画像ファイル及び目的地リストＬが更新される。
【００６１】
＜４．メモリカードからの目的地情報の読み込み＞
図１１は、ＧＰＳフォルダ直下のＤＡＴＡフォルダからファイルを読み込む際に実行される目的地情報読込処理のフローチャートを示す。図１２は、図１１の目的地情報読込処理を説明するための、図７と同様の説明補助図である。
【００６２】
図１１に示されるように、何れかのＤＡＴＡフォルダ（図１２の例ではＤＡＴＡ１フォルダ）が読み込み元として選択されると（Ｓ３１：ＹＥＳ）、内蔵メモリ２２に記憶されている目的地リストファイルＧＰＳ＿ＤＡＴＡが消去される（Ｓ３２）。続くＳ３３の処理では、ＤＡＴＡ１フォルダのテキストファイルＧＰＳ＿ＤＡＴ１．ＴＸＴが読み込まれて解釈され、解釈結果に基づいて目的地リストファイルＧＰＳ＿ＤＡＴＡが作成されて内蔵メモリ２２に記憶される。Ｓ３４の処理では、ＴＥＭＰ＿ＩＭＧフォルダに保存されているサムネイル画像ファイル群が全て消去される。Ｓ３５の処理では、ＤＡＴＡ１フォルダに保存されているサムネイル画像ファイル群が全てＴＥＭＰ＿ＩＭＧフォルダにコピーされて、本フローチャートの処理が終了する。
【００６３】
＜５．目的地情報の選択＞
撮影装置１のモードは、所定の操作に従って目的地情報選択モードに移行する。図１３は、目的地情報選択モードにおいて目的地リストＬから目的地を設定する際に実行される目的地情報選択処理のフローチャートを示す。
【００６４】
目的地情報選択モードへの移行後は、目的地リストＬに登録されている目的地の登録名の一覧が図８の例と同様に一画面で最大５件を限度としてＬＣＤモニタ２０に表示される。このときフォーカスが当てられている登録名に対して目的地情報選択処理が実行される。目的地情報選択処理において、ｎ”は、フォーカスが当てられている登録名のＩＤと定義される。
【００６５】
図１３に示されるように、Ｓ４１の処理では、識別ナンバＩＤがｎ”に設定される。Ｓ４２の処理では、ＴＥＭＰ＿ＩＭＧフォルダ内のファイルＬＩＳＴ［ＩＤ］．ＪＰＧの存否が判定される。ファイルＬＩＳＴ［ＩＤ］．ＪＰＧが存在する場合は（Ｓ４２：ＹＥＳ）、フォーカスが当てられている登録名に対応する位置情報（目的地リストＬに記憶されているもの）とファイルＬＩＳＴ［ＩＤ］．ＪＰＧのジオタグ（位置情報）とを照合して同一性を判断する（Ｓ４３）。なお、ここでの同一性は厳格に判断しなくてもよい。同一性には、所定距離離れている場合も同一と判断されるように多少の許容幅を設けてもよい。両者の位置情報に同一性がある場合は、撮影装置１の所有者（目的地リストＬの作成者）たるユーザが当該登録名に対応する場所で以前撮影を行ったことがあるとの推定が働く。そのため、両者の位置情報が同一性ありと判断された場合（Ｓ４３：ＹＥＳ）、ファイルＬＩＳＴ［ＩＤ］．ＪＰＧがＬＣＤモニタ２０に表示されて（Ｓ４４）、本フローチャートの処理が終了する。ユーザは、過去に撮影した場所をＬＣＤモニタ２０を通じて視認することができる。
【００６６】
図１４は、図１３のＳ４４の処理の実行時にＬＣＤモニタ２０に表示される画面例を示す。図１４の例では、目的地リストＬの中からＩＤ３８の登録名「Ｔｏｋｙｏ  Ｄｏｍｅ」にフォーカスが当てられている。画面下欄には、登録名「Ｔｏｋｙｏ  Ｄｏｍｅ」の緯度・経度とサムネイル画像が表示されている。本画面において決定ボタンが選択されると、登録名「Ｔｏｋｙｏ  Ｄｏｍｅ」が目的地として設定される。目的地設定後は、ＧＰＳモジュール２６で演算される現在位置情報と設定地との相対距離が簡易的なナビゲーション情報として画面に表示される。
【００６７】
Ｓ４２の処理においてＴＥＭＰ＿ＩＭＧフォルダにファイルＬＩＳＴ［ＩＤ］．ＪＰＧが存在しない場合（Ｓ４２：ＮＯ）、ファイルＬＩＳＴ［ＩＤ］．ＪＰＧをＬＣＤモニタ２０に表示できずに（Ｓ４５）、本フローチャートの処理が終了する。なお、Ｓ４２の処理で「ＮＯ」と判定される状況として、例えばカードスロット１８に差し込まれたメモリカードが撮影装置１あるいは同種の装置で書き込みがなされていない関連性のないカードである等が想定される。
【００６８】
Ｓ４３の処理において上記の位置情報の同一性がない場合は、撮影装置１の所有者（目的地リストＬの作成者）たるユーザが当該登録名に対応する場所で撮影を行ったことがないとの推定が働く。この場合（Ｓ４３：ＮＯ）、当該場所の画像は、ファイルＬＩＳＴ［ＩＤ］．ＪＰＧがＬＣＤモニタ２０に表示されることなく（Ｓ４５）、本フローチャートの処理が終了する。ファイルＬＩＳＴ［ＩＤ］．ＪＰＧは、目的地リストＬに登録されている目的地とは関連しない撮影画像であるため、ＴＥＭＰ＿ＩＭＧフォルダから消去してもよい。なお、Ｓ４３の処理で「ＮＯ」と判定される状況として、例えばＳ４２の処理と同じく、カードスロット１８に差し込まれたメモリカードが撮影装置１あるいは同種の装置で書き込みがなされていない関連性のないカードと想定される。
【００６９】
図１５は、図１３の目的地情報選択処理を説明するための説明補助図である。図１５は、ツリー表示されたメモリカード４０のフォルダ構造と目的地リストＬの内容を示している。図１５の例においてもＩＤ３８の登録名「Ｔｏｋｙｏ  Ｄｏｍｅ」が選択されている。目的地リストＬ中のＩＤ３８の緯度・経度とＴＥＭＰ＿ＩＭＧフォルダのファイルＬＩＳＴ［３８］．ＪＰＧのジオタグに同一性があれば、図１４に示される画面がＬＣＤ２０に表示される。両者に同一性がなければ、登録名「Ｔｏｋｙｏ  Ｄｏｍｅ」の緯度・経度とサムネイル画像がＬＣＤ２０に表示されない。撮影装置１の仕様によっては、ＴＥＭＰ＿ＩＭＧフォルダからファイルＬＩＳＴ［３８］．ＪＰＧが不要なファイルとして消去される。
【００７０】
目的地情報選択モードへの移行直後に目的地情報選択処理の実行に先立ち、目的地リストＬの登録目的地総数とＴＥＭＰ＿ＩＭＧフォルダ内のファイル数とを比較してもよい。比較の結果、ＴＥＭＰ＿ＩＭＧフォルダ内のファイル数が登録目的地総数よりも多い場合、ＴＥＭＰ＿ＩＭＧフォルダ内の一部のファイルは不要なファイルであるとの推定が働く。例えば登録目的地総数３８、ＴＥＭＰ＿ＩＭＧフォルダ内のファイル数４０の場合、ファイルＬＩＳＴ［３９］．ＪＰＧ、ファイルＬＩＳＴ［４０］．ＪＰＧに対応する目的地情報が目的地リストＬに存在しない。これらのファイルの撮影画像は、撮影装置１の所有者（目的地リストＬの作成者）たるユーザが撮影を行ったことがない場所の画像である可能性が高いため、消去される。
【００７１】
以上が本発明の実施形態の説明である。本発明は、上記の構成に限定されるものではなく、本発明の技術的思想の範囲において様々な変形が可能である。
【符号の説明】
【００７２】
１  撮影装置
１０  カメラ本体部
１２  ＣＰＵ
１４  固体撮像素子
１６  ＤＳＰ
１８  カードスロット
２０  ＬＣＤモニタ
２２  内蔵メモリ
２４  ＧＰＳアダプタ
２６  ＧＰＳモジュール
４０  メモリカード
５０  撮影レンズ
【図１】
0005733614.tif 000002
【図２】
0005733614.tif 000003
【図３】
0005733614.tif 000004
【図４】
0005733614.tif 000005
【図５】
0005733614.tif 000006
【図６】
0005733614.tif 000007
【図７】
0005733614.tif 000008
【図９】
0005733614.tif 000009
【図１０】
0005733614.tif 000010
【図１１】
0005733614.tif 000011
【図１２】
0005733614.tif 000012
【図１３】
0005733614.tif 000013
【図１５】
0005733614.tif 000014
【図８】
0005733614.tif 000015
【図１４】
0005733614.tif 000016